(57)【特許請求の範囲】
【請求項１】
一つ又は複数のガラス体と、
前記ガラス体に設けられた抵抗体と、
前記ガラス体の間に設けられ、通路を規定し、熱を伝導する通路壁体と、
少なくとも前記ガラス体及び通路壁体により空間が区画された加熱空間と、
前記加熱空間の内部にミスト化された水又は水蒸気を供給する水供給口とを含み、
前記抵抗体に電気を流すことで当該抵抗体が発熱し、前記加熱空間内に導入された水又は水蒸気を加熱して過熱水蒸気を生成し、
生成された過熱水蒸気を被加熱物に対して供給するための過熱水蒸気の排出口が設けられているガラスシステム。
【請求項２】
請求項１において、
前記通路壁体の周りに設けられ、前記ガラス体の周囲に熱を伝熱するための周縁体を含むガラスシステム。
【請求項３】
請求項１又は２において、
前記抵抗体は、前記水又は水蒸気が通る側とは反対側の前記ガラス体の面に設けられているガラスシステム。
【請求項４】
請求項１〜３のいずれかに記載のガラスシステムを含む加熱装置。
【請求項５】
請求項４において、
前記ガラス体の外側に、前記ガラス体の熱を放熱するための放熱部材が設けられている加熱装置。
【請求項６】
請求項５において、
前記抵抗体と前記放熱部材との間に、前記抵抗体を被覆する絶縁膜が設けられている加熱装置。
【請求項７】
請求項４〜６のいずれかに記載の加熱装置と、
前記加熱装置から過熱水蒸気が供給されるチャンバとを含み、
前記加熱装置は、前記チャンバ内に設けられている加熱器具。
【発明の詳細な説明】
【技術分野】
【０００１】
本発明は、発熱機能を有するガラスシステム、加熱装置、処理装置およびプログラムに関する。
【背景技術】
【０００２】
通電により発熱可能な導電部材を表面に形成させた板ガラスが提案されている（特許文献１参照）。
【先行技術文献】
【特許文献】
【０００３】
【特許文献１】特開平１１−１７３０２８号公報
【発明の概要】
【発明が解決しようとする課題】
【０００４】
本発明の目的は、省エネルギー化、小型化および簡素化が図られたガラスシステム、加熱装置、加熱装置を処理するための処理装置およびプログラムを提供することにある。
【課題を解決するための手段】
【０００５】
１．ガラスシステム
本発明のガラスシステムは、
一つ又は複数のガラス体と、
前記ガラス体に設けられた抵抗体と、
少なくとも前記ガラス体により空間が区画された加熱空間とを含み、
前記抵抗体に電気を流すことで当該抵抗体が発熱し、加熱空間内に導入された気体を加熱するものである。
【０００６】
本発明のガラスシステムによれば、熱が発生する抵抗体がガラス体に一体となった状態で設けられているためエネルギー損失が小さい。したがって、省エネルギー化を図ることができる。また、加熱するに当たって、圧力容器などの特殊の設備を設ける必要がないため、簡素化および小型化も図ることもできると共に、コストを低減することができる。
【０００７】
本発明において、
前記加熱空間の内部にミスト化された水又は水蒸気を供給する水供給部を含み、前記水蒸気を加熱して過熱水蒸気を生成するためのものである。本発明によれば、短時間かつ小さな設備で、過熱水蒸気を生成することができる。
【０００８】
本発明において、前記抵抗体は、銀を主体とするペーストを焼成して形成されていることができる。
【０００９】
本発明において、前記抵抗体に流れた電流の電流値を測定する電流測定部と、
前記ガラス体の温度を測定する温度測定部と、
前記抵抗体の大きさに基づく昇温プログラムデータを記憶した記憶部と、
前記電流測定部により測定された電流値と前記温度測定部により測定された前記ガラス体の温度とに基づき、前記昇温プログラムデータを参照して、前記ガラス体の状態を導出するための処理部とを含むことができる。
【００１０】
本発明によれば、抵抗体の大きさに基づく昇温プログラムデータを有するため、抵抗体の大きさごとに処理装置を別途作成する必要がなく、処理装置自体の汎用性を向上させることができる。
【００１１】
また、所定の電流が流れた場合に、所定の温度が上昇していない場合には、温度測定部が破損していると認識することができる。したがって、温度測定部の破損状態の確認が容易となる。
【００１２】
本発明において、前記記憶部は、前記抵抗体の抵抗値と前記抵抗体の大きさとの間の関係データを有することができる。本発明によれば、処理装置により、抵抗体の抵抗値から抵抗体の大きさを認識することができ、抵抗体の大きさの入力作業を省略することができる。
【００１３】
本発明において、前記温度測定部は、熱電対であることができる。熱電対であることで、メンテナンスを容易に行うことができる。
【００１４】
本発明において、通信ネットワークに接続するための送受信部を含むことができる。これにより、温度測定部の破損状態など、遠隔地にある者に迅速に伝えることができる。
【００１５】
２．加熱装置
本発明の加熱装置は、本発明のガラスシステムを含む。
【００１６】
３．処理装置
本発明の処理装置は、
本発明の加熱装置のガラス体の状態を導出するための加熱装置用処理装置であって、前記抵抗体の大きさに基づく昇温プログラムデータを記憶した記憶部を有し、電流測定部により測定された電流値と温度測定部により測定された前記ガラス体の温度とに基づき、前記昇温プログラムデータを参照して、前記ガラス体の状態を導出する。
【００１７】
本発明によれば、抵抗体の大きさに基づく昇温プログラムデータを有するため、抵抗体の大きさごとに処理装置を別途作成する必要がなく、処理装置自体の汎用性を向上させることができる。
【００１８】
また、所定の電流が流れた場合に、所定の温度が上昇していない場合には、温度測定部が破損していると認識することができる。したがって、温度測定部の破損状態の確認が容易となる。
【００１９】
本発明において、前記記憶部は、前記抵抗体の抵抗値と前記抵抗体の大きさとの間の関係データを有することができる。これにより処理装置により、抵抗体の抵抗値から抵抗体の大きさを認識することができ、抵抗体の大きさの入力作業を省略することができる。
【００２０】
４．プログラム
本発明のプログラムは、コンピュータに、記憶部から本発明のガラスシステムの抵抗体の大きさに基づく昇温プログラムデータを読み出すステップと、前記電流測定部により測定された電流値と前記温度測定部により測定されたガラス体の温度とに基づき、前記昇温プログラムデータを参照して、前記ガラス体の状態を導出するステップとを実行させる。
【図面の簡単な説明】
【００２１】
【図１】ガラスシステムの構成例を模式的に示す図である。
【図２】ガラスシステムの機能ブロックを模式的に示す図である。
【図３】ガラスシステムの処理フローのフロー図である。
【図４】ガラスシステムの変形例を模式的に示す図である。
【図５】ガラスシステムの変形例を模式的に示す図である。
【図６】加熱装置を模式的に示す図である。
【図７】図６のＡ１−Ａ１線に沿った加熱装置の断面を模式的に示す図である。
【図８】加熱装置を模式的に示す図である。
【図９】図８のＡ２−Ａ２線に沿った加熱装置の断面を模式的に示す図である。加熱装置を模式的に示す図である。
【図１０】加熱装置の部品図を模式的に示す図である。
【図１１】加熱装置の部品図を模式的に示す図である。
【図１２】加熱装置の部品図を模式的に示す図である。
【図１３】加熱器具を模式的に示す図である。
【図１４】抵抗体の変形例を模式的に示す図である。
【発明を実施するための形態】
【００２２】
以下、本発明の好適な実施の形態について図面を参照しながら説明する。
【００２３】
１．ガラスシステムの構成
ガラスシステム１００は、抵抗体１２が設けられたガラス体１０と、ガラス体１０の温度を測定する温度測定部３０と、抵抗体１２に流れた電流の電流値を測定する電流測定部３２と、電流測定部３２により測定された電流値に基づきガラス体１０の状態を導出する処理装置２０とを含む。
【００２４】
ガラス体１０は、抵抗体１２に電流を流すことを通じて、抵抗体１２が発熱し、その抵抗体１２により熱せられるものである。抵抗体１２は、導電材からなる膜により構成することができる。導電材の材質としては、銅などの金属やＩＴＯなどの金属酸加物を適用することができる。ガラス体１０には、抵抗体１２に電流を流すための複数の電極（たとえば２つの電極）１４ａ，１４ｂが設けられる。ガラス体１０の材質は特に限定されず、公知のものを適用することができる。ガラス体１０は複数のガラスを貼り合わせて構成することもできる。この場合には、電極１４ａ，１４ｂを保護する観点から、電極１４ａ，１４ｂを挟み込むようにガラスを貼り合わせることができる。ガラス体１０は、平板のものだけではなく、筒状又は中空状のものであってもよい。
【００２５】
ガラス体としては、たとえば、耐熱ガラスを適用することができる。
【００２６】
抵抗体１２は、電極１４ａ，１４ｂの間に設けられている。また、電極１４ａ，１４ｂは、ガラス体１０の両サイドの側部に設けることができる。なお、電極１４ａ，１４ｂの形状は、電極としての機能を実現することができるものであれば特に限定されず、たとえば、直線状に設けることができる。電極１４ａ，１４ｂの材質は、電極としての機能を実現できるものであれば特に限定されないが、たとえば銅などの金属からなることができる。電極１４ａ，１４ｂには、電源部４０により電流が供給される。
【００２７】
温度測定部３０は、ガラス体１０の温度を測定できるものであれば特に限定されず、たとえば熱電対により構成することができる。温度測定部３０が熱電対からなる場合には、取り付けの容易さから、先端付近を粘着体（シール体など）に装着し、その粘着体を通じてガラスに取り付けてもよい。温度測定部３０は、処理装置２０との間でアンプＡ１を介して設けることができる。
【００２８】
電流測定部３２は、複数の電極１４ａ，１４ｂ間に流れる電流を測定できるものあれば特に限定されず、公知のものを適用することができる。電流測定部３２は、処理装置２０との間でアンプＡ２を介して設けることができる。
【００２９】
処理装置２０は、電源部４０などの構成要素を制御し、電流測定部３２により測定された電流値と温度測定部３０により測定されたガラス体１０の温度とに基づき、ガラス体１０の状態を導出する。処理装置２０は、ＣＰＵ、ＲＯＭおよびＲＡＭなどを含む制御回路により実現することができる。処理装置２０は、複数の制御回路により実現してもよい。
【００３０】
ガラスシステム１００は、さらに次の構成要素を含むことができる。
【００３１】
ガラスシステム１００には、温度設定スイッチ５２および温度表示ランプ５４が外部端子接続部（たとえばフォトカプラ）５０を介して処理装置２０に接続されている。温度設定スイッチ５２は、ガラス体１０の設定温度に対して高温側または低温側に設定を変更するためのものである。温度表示ランプ５４は、温度設定スイッチ５２による温度変更の程度を表示するランプ（たとえば発光ダイオード）である。
【００３２】
ＡＣ／ＤＣコンバータ４４は、電源部４０の交流電源を直流電源に変換するものである。変換された直流電源の経路は、処理装置に送られる経路と、ＤＣ／ＤＣコンバータ４６に送られ昇圧又は降圧されて処理装置２０に送られる経路とがある。
【００３３】
記憶部６０には、抵抗体１２と抵抗値との関係データ、抵抗体１２の大きさなどに応じた昇温プログラムデータ、電流値と抵抗値との対応データ、電流値と温度変化との対応関係データ、電源を入れてから所定の温度までに上昇する時間、電源を切ってから所定の温度まで下降する時間、電源を遮断した後の最高到達温度、電源を投入した状態で破損する温度や電源投入から破損するまでの時間などのデータ電流値とガラス体の昇温する温度との対応データなどが格納されている。これらの記憶部６０のデータは、ガラスシステム１００の昇温のための制御等のために適切な条件を導出するための基礎データとなるものである。特に、昇温プログラムデータには、ガラス体１０の大きさおよび厚さなど、抵抗体１２の大きさおよび厚さに応じた昇温のための条件が付与されており、電流を流す時間、その電流を流す時間に応じた電流値や電圧値などが設定されている。記憶部６０は、ハードディスク、ＲＯＭ、ＲＡＭなどの公知の記憶媒体により構成することができる。記憶部６０の機能は、処理装置２０内の記憶領域により実現してもよい。
【００３４】
ディスプレイ６２は、処理装置２０に接続され、ガラス体１０の表面温度、ガラス体１０の通電電流値、ガラス体１０の破損警報、熱電対３２の断線警報などを表示する。ディスプレイは、タッチパネルディスプレイなど公知の表示装置を適用することができる。
【００３５】
コンピュータ６４は、処理装置２０に接続され、基本設定温度、ガラス体のタイプ（厚さ、形状、大きさなど）、熱電対回路の温度補正を行う。
【００３６】
送受信部６６は、処理装置２０に接続されている。送受信部６６により、インターネットなどの通信網を通じて、管理端末との間で情報を送受信するものである。送受信部６６は、公知の送受信機器を適用することができる。
【００３７】
処理装置２０は、アンプＡ３を介して、ソリッドステート・リレー４２の制御出力を出力し、ソリッドステート・リレー４２を制御する。ソリッドステート・リレー４２は、抵抗体１２への電源の投入と遮断とを行うものである。ソリッドステート・リレー４０がゼロクロス機能を搭載することで、電源のノイズの低減と低音化を実現することができる。ゼロクロス機能を有するソリッドステート・リレー４２は、電源の波形を認識し、０Ｖのところでオン・オフをすることができる。
【００３８】
また、図示はしないが、光や音によりガラスシステム自身の異常状態（たとえば温度測定部の異常状態）を警告する警告部があってもよい。
【００３９】
２．加熱装置および加熱器具
図６〜図１３を参照して、加熱装置を説明する。
【００４０】
加熱装置２００は、発熱するガラスシステム１００の間に、水又は水蒸気を導入することで、ガラスシステム１００から発生する熱により過熱水蒸気が生成される。この加熱装置２００のガラスシステム１００の間には、発生した水蒸気が通るための通路（加熱空間）Ｓ１が設けられている。
【００４１】
二つのガラスシステム１００の間に、水又は水蒸気を導入する方法としては、加熱式や超音波式などの水蒸気発生装置やミスト発生装置により水又は水蒸気をガラスシステム間に通過させることができる。
【００４２】
二つのガラスシステム１００は、それぞれの抵抗体１２が水又は水蒸気が通る管路Ｓ１の側とは反対側（外側）にくるように、対向させることができる。
【００４３】
水蒸気が通るための通路Ｓ１は、ひだ状、蛇腹状、ジグザグ状に通路を設けてもよい。通路Ｓ１は、通路壁体１６により、進路を規定することができる。また、ガラスシステム１００と通路壁体１６の周りに額縁状の周縁体１５を設けることができる。これら通路壁体１６および周縁体１５は、熱伝導率が高い材質、たとえばアルミニウムなどからなることができる。通路壁体１６ａ，１６ｂが熱伝導率の高い材質からなることで、過熱水蒸気の加熱の効率性が増す。また、周縁体１５が熱伝導率の高い材質からなることで、ガラスシステム１００の周囲に周縁体１５を接した状態にしたときにおいて、熱せられにくいガラスシステム１００の周囲の部分を周縁体１５を通じて加熱することができる。これにより、ガラスシステム１００の温度の均一化を図ることができ、温度差によるガラス体１０の変形などを防ぐことができる。
【００４４】
通路壁体１６は、図８および図９に示すように、たとえば、ガラスシステム１００間に、二つの櫛形の通路壁体１６ａ，１６ｂを対向するように組み合わせて構成することができる。
【００４５】
この加熱装置２００は、図１３に示すように、オーブンなどの加熱器具３００の熱源として利用することができる。加熱器具３００は、被加熱物を置くチャンバ９０内に、加熱装置２００を置くことができる。これにより、被加熱物を置くチャンバ９０に直接、過熱水蒸気を導入することができると共に、加熱装置２００から発せられる熱をチャンバ９０内に放出することができる。加熱装置２００は、チャンバ９０の底面に設けてもよいし、または、チャンバ９０の側面に設けてもよい。
【００４６】
３．動作
電源を入れる（Ｓ１０）。次に、設定データを読み込む（Ｓ１２）。つまり、処理装置２０が発熱ガラス１０の大きさに基づく昇温プログラムを読み出す。この際、抵抗値と抵抗体１２の大きさとの対応データを有する場合には、電源を入れた後に、抵抗値を図り、抵抗体１２の大きさを認識してもよい。
【００４７】
次に、発熱装置２００のガラス体１０の表面温度を計測する（Ｓ１４）。この際、必要に応じて、周辺環境温度も測定する。その初期表面温度および必要に応じて周辺環境温度に基づき、電圧出力データを演算する（Ｓ１６）。電圧を出力する前に、水供給装置（図示せず）から水を発熱装置２００の通路（加熱空間）Ｓ１内に導入し、電圧を出力する（Ｓ１８）。次に、抵抗体１２を流れた電流値を計測し（Ｓ２０）、正常であれば、電流を流し続ける。たとえば、対向する二つのガラスシステム１００を採用した場合には、２つのガラスシステム１００のガラス体１０の温度が同じになるまで電流を流し続けることとしてもよい。
【００４８】
所定時間を経過した後に表面温度を計測し（Ｓ２２）、所定温度まで達すると共に発熱装置２００内に導入されたミスト状の水が加熱され所定量の過熱水蒸気が生成した段階で電圧出力を遮断する（Ｓ２４）。なお、電圧出力を遮断した後、水供給装置からの発熱ガラス内への水の供給も停止する。
【００４９】
所定時間後に表面温度が所定温度まで達していない場合には、電圧出力データを再演算し（Ｓ１６）、再度、電圧を出力する（Ｓ１８）。温度を一定に保つために、電圧出力を遮断してから所定時間の経過をタイマーにて把握し（Ｓ２６）、その所定時間を経過した後に、表面温度を計測する（Ｓ２２）。
【００５０】
抵抗体１２を流れた電流値を計測して（Ｓ２０）で、その通電電流値が異常値を示した場合には、電圧出力を停止する（Ｓ２８）。また、温度測定部３０に異常が発生した場合にも（Ｓ３０）、電圧出力を停止する（Ｓ２８）。
【００５１】
所定の電流が流れているにもかかわらず、温度測定部３０が測定した温度が昇温プログラム通りの温度とならない場合には、温度測定部３０が故障していると認識する。この場合、送受信部６６により、管理端末にその故障情報を送信することができる。
【００５２】
目視などで抵抗体１２が破損していないことなどを確認した場合には、抵抗値に基づき発熱ガラス１０の大きさを認識してもよい。つまり、抵抗体の厚さが同じ場合であれば、抵抗体の抵抗値から抵抗体の大きさを認識することができる。
【００５３】
また、抵抗体１２の大きさがわかっていれば、抵抗値を確認することで、抵抗体１２の破損状況を確認することができる。
【００５４】
これらの処理を処理装置２０のコンピュータに実行させるプログラムは、処理装置２０を構成するＲＯＭなどに格納することができる。
【００５５】
４．作用効果
次に、本実施の形態の作用効果について説明する。
【００５６】
（１）加熱容器にて水蒸気を発生させると共に、その加熱容器の中で加圧加熱を行うことで、過熱水蒸気を作る技術がある。この方法により過熱水蒸気を生成する場合には、加熱容器にて、沸点まで加熱させるが、その加熱容器の内圧を高くして沸点温度を上げることにより、水蒸気の温度を１００度以上の温度にするという方法が一般的にとられている。
【００５７】
この方法にて過熱水蒸気を作ろうとした場合、加熱容器にて沸点まで原水を加熱するエネルギーが必要である。この場合、圧力を高めるための圧力容器が必要となるため、設備は大きく高価な物となり保守管理も所定期間（たとえば毎年）ごとに必要となり、利用者の負担は大きなものとなる。
【００５８】
また、別の技術として、水を霧状にしてヒータ等にて加熱することで沸点までの時間を短縮させ、ここで作られた水蒸気を加熱し続けることにより、高温の加熱水蒸気を作り出すものがある。
【００５９】
この方法で作られる過熱水蒸気は、圧力容器こそ必要ないが、ヒータの性能や断熱・熱の伝導・温度制御などの精度により、作り出される過熱水蒸気の高温化には高いエネルギーが必要な上、水蒸気を加熱するための加熱領域としてそれなりの距離が必要となり、設備の小型化には数多の課題を抱えている。
【００６０】
また、従来から存在するボイラ式や数多な方法による再加熱方式では、過熱水蒸気をつくるための管と加熱装置が別体である事で熱損失が大きく、これらの熱エネルギーを保持するための保温設備などを付帯する必要があり、小型化が難しい。また、水蒸気の通る管を金属などで作り、金属自体を発熱させる方法も考えられるが、基本的な水に含まれる成分によっては、金属の腐食が発生したり、内部に堆積物が固形化して内圧が上昇するなどの危険性がある。この場合、別途圧力センサーなどで内圧を管理して、加熱を止めるプログラム等が必要となるため、装置の製造価格が大きくなる。
【００６１】
本実施の形態においては、加熱装置の中で水蒸気を作り、さらに過熱水蒸気を生成するため、その分だけ、熱損失を抑えることができる。ミスト化された噴霧水などを加熱装置内に加熱して水蒸気にし、その加熱装置にて加熱を続けて過熱水蒸気にするため、圧力容器や保温装置などの特殊な設備が不要なため、設備の簡素化が図ることもできる。また、投入される噴霧水の温度や環境温度を読み取り、必要な温度まで、設定した昇温速度および時間で昇温させ、必要な温度を維持することができる。さらに、電圧や電流の微妙な変化も可能となり、省電力化を図る上での最適化も容易である。
【００６２】
発熱する加熱装置の中に微細な噴霧水を送り込むことで、短時間かつ小さな設備で、過熱水蒸気を生成することができる。この発熱する加熱装置は均等に発熱し、発熱機能を有する加熱装置の温度調整は１度単位で行うことができるため、発熱する加熱装置内の雰囲気を容易にコントロールすることが可能である。このように発熱するガラスという特殊なガラスは、環境温度から６００℃近い温度までコントロールが可能であることから、当該管内に噴霧された霧を加熱することで、必要な温度の過熱水蒸気を小さなエネルギーと小規模設備で作り出すことを可能とする。
【００６３】
つまり、本実施の形態によれば、エネルギー損失が少ないため、省エネルギー化を図ることができると共に、エネルギー損失の要素の影響が少ないため、その分だけ加熱装置の雰囲気のコントロールが容易となり、小型で、簡素化され、省電力化を図ることができる。
【００６４】
（２）一般的な技術で導電皮膜を有する発熱するガラスの温度制を行おうとした場合、発熱するガラスにある温度を維持させようとすることから、あらかじめ発熱するガラスに一定の電圧をかけて、温度上昇を計測して、求める温度に成った時点での電圧と電流を暖めたいガラスに供給し続ける方法で温度の管理を行う方法を取るか、１００Vなどの一般単相電流を発熱するガラスの電極に供給し、温度の上昇が求める温度に成ったことを確認する為の熱電対とそれに繋がる温度調節機により、発熱するガラスに供給された電気を遮断し、温度上昇を止める方法による温度管理が一般的である。
【００６５】
これらの方法にて温度管理を行なった場合で、先のように電圧などを減圧されて求める温度になるようにあらかじめ計測された一定の電圧と電流にて加熱された場合に、当該ガラスの温度が低い場合等、求める温度までの昇温時間がかかる場合や、環境温度が低い場合等、求める温度に達しない。
【００６６】
また、この方法だと、一定の電圧と電流を供給する場合には、毎回寸法が違う発熱するガラスに対して、あらかじめ暖めるガラスの電極間抵抗値を計測し、供給する電圧と電流を決定し、対応する制御装置を製作する必要がある。
【００６７】
一方、温度調節機にて管理された場合には、設定した温度を維持する為に電源の供給時間をコントロールする事により当該発熱するガラスの温度を調節しているが、設定された温度に達するまでは電源が供給され、温度が達成された事を熱電対が温度調節機に伝えた時に電源の供給が経たれる。
【００６８】
この制御方法は一般的なものであるが、保温効果の高いガラスなどの温度管理を行なおうとした場合などには、通電時に発熱し、温度上昇が始まる、希望の温度に達して温度調節機が電源の供給を遮断した後にも温度が上昇することになり、また、温度が下降し始めて、温度調節機が発熱するガラスに通電を始めると、再度設定温度以上になると言う結果が毎回繰り返される。
【００６９】
これら、温度にむらが生じ常にガラス面の温度は上下し、結果として電力のロスが起こっているという課題を抱えている。
【００７０】
つまり、要求温度を維持するための方法として、電源の供給の入り切りで行なう場合や、一定の電源を供給し続ける装置と方法では、少ない電力で一定の温度を、環境の変化に応じて対応する事も出来ない場合や、発熱するガラスの面積により変化する抵抗値を計測し、１枚毎に温度設定をする為の適切な電圧と電流を供給する装置を設ける必要があるという課題がある。また、一般的な技術では発熱体全般として、単に温度が上がると電源が切れる、もしくは温度がそれ以上上昇しない電源を供給するという方式を使用しており、発熱するガラスという特殊な製品の温度制御装置の使用分野が狭小的な状態となっているという課題があった。
【００７１】
本実施の形態においては、昇温プログラムの対応テーブルを有するため、異なる寸法の発熱するガラスに対して、装置や方法を変更すること無く対応し、環境温度の変化にも対応して、希望の温度を維持し、また、安定した環境の場合には一定の温度を保つ機能をもち、少ない電力での温度維持を可能とする機能をもつ。
【００７２】
発熱するガラスという特殊な製品の温度管理を環境温度から６００℃近い温度まで、コントロールし、ガラス面積が異なる場合においても、自動的に状況を把握し、計算、判断を行い、制御をすることができる。
【００７３】
発熱するガラスの温度をコントロールすることは、今まで市場に存在する、塗膜式や蒸着式の導電皮膜の性能が向上し、３０℃前後までしか昇温しなかったガラスが、発熱するガラス性能の向上により、６００℃近くまで昇温するため、その用途が増えた事で益々求められている。このように用途が広がり、発熱体としてのガラスを利用しようとした場合に、従来の温度コントロールの方法をそのまま発熱するガラスに使用しているが、その形状や大きさ、厚さや要求温度がそれぞれ異なり、それぞれに対応する制御装置と方法が異なり、都度開発を求められ、対応を行なう形で製作されて来たが、昇温速度に問題があったり、温度が不安定になったり、消費電力が大きかったり、制御装置の都度開発費用がかかるなどの問題は避けられない状況である。このような状況もさらに考慮すると、本実施の形態は大変有用なものである。以上のように、本実施の形態によれば、ガラスシステムを制御する処理装置の汎用性を向上することができる。
【００７４】
（３）所定の電流が流れているにもかかわらず、温度測定部３０が測定した温  度が昇温プログラム通りの温度とならない場合には、温度測定部３０が故障していると認識することができる。
【００７５】
（４）本実施の形態によれば、計測した電流値から漏電しているかどうか判断することができる。したがって、破損状態の確認も容易である。
【００７６】
（５）この加熱装置２００によれば、水蒸気を作るための加熱と、水蒸気を過熱水蒸気にするための加熱を一つの装置で行うことができる。
【００７７】
（６）加熱装置２００を加熱炉（チャンバ）の中に載置することができる。
【００７８】
（７）通常、水蒸気を作るための加熱装置と過熱するための加熱装置との間の管路、および、過熱するための加熱装置と過熱水蒸気を導入する炉との間の通路での熱損失を補うための加熱装置が必要であるが、そのような加熱装置が不要である。
【００７９】
（８）発熱するガラスシステム１００により、遠赤外線による被熱効果を高め、当該加熱装置を構成するパーツ数を減らし、薄く平面形状にすることで、益々省スペースが図れ、過熱水蒸気を必要とするチャンバーに近い位置に設置することが可能となる。
【００８０】
（９）この加熱装置２００によれば、チャンバー壁面に設置して過熱水蒸気を直接チャンバー内に排気することができると共に、加熱装置２００の排熱を利用してチャンバー９０内部の加熱を行うことも可能である。
【００８１】
（１０）この加熱装置２００は、殺菌、滅菌、焼成、炭化乾燥などの乾燥に用いることができる。
【００８２】
（１１）水蒸気を作るためのボイラーなどの加熱装置が不要である。
【００８３】
４．抵抗体の変形例
抵抗体１２は、銀を主体とするペーストを焼成して形成されていることができる。銀を主体とするペーストには、たとえば、パラジウム、プラチナ、ニッケル、金、銅、ハロゲン、硫黄、イリジウム、アルミニウム、ルテニウム、チタン、ガリウム、バリウム、ストロンチウム、スズ、インジウム、タングステン、クロム、ゲルマニウム、モリブデンなどからなる群から選ばれる少なくとも１種を添加することができる。銀を主体とするペーストは、ガラス成分を含めてもよく、固体状の酸化物、たとえば金属酸化物（たとえばアルミナ）やケイ素酸化物なども添加することができる。銀を主体とするペーストの溶媒としては、たとえば、有機溶剤（たとえば、ラッカー、シンナーなど）を使用することができる。
【００８４】
抵抗体１２のパターンは、たとえば、図１４に示すようなジグザグのパターンであることができるが、このパターンに限定されず、求める抵抗値や加熱調理装置１００の大きさ、形状などにより決めることができる。配線パターンの全体の抵抗値は、求める発熱温度により決められるが、抵抗体１２の全体の抵抗値がたとえば４Ω以上とすることができる。抵抗体１２の長さ、幅、厚み、材質などにより、抵抗体１０の抵抗値を制御することができる。
抵抗体１２は、銀を主体とするペーストを塗布した後に焼成して形成してもよいが、銀を主体とするペーストに電流を流すことで、自ら発熱させ、自己焼成させて形成することもできる。抵抗体１２は、保護膜として絶縁膜（たとえば酸化シリコン膜など）により被覆してもよい。
【００８５】
抵抗体１２には、電気を流すための配線が施されており、抵抗体１２に電気を流すことで、抵抗体１２自身が発熱する。抵抗体１２は、導電材からなる膜により構成することができる。
抵抗体１２の両端に必要に応じて、電流を流すための複数の電極（たとえば２つの電極）を設けてもよい。
【００８６】
５．変形例
（１）加熱装置が加熱する液体は、水の他に、pＨを調製した水やアルコール、アンモニアなどであってもよい。
【００８７】
（２）上記の実施の形態においては、ガラスシステム１００が対向して複数設けられていたが、一面のみにガラスシステム１００を配置してもよい。
【００８８】
（３）図９に示すように、放熱部材１８を設けることもできる。二つのガラスシステムを挟むように、二つの放熱部材１８を設けてもよい。放熱部材１８は、金属板（たとえば、アルミニウム板など）やセラミック材により構成することができる。この場合、図１３に示すように、加熱装置２００をチャンバ９０内に設けたときに、ガラスシステム１００から発せられた熱を放熱部材１８を通じて、チャンバ９０内に供給することができる。
【００８９】
本実施の形態は、本発明の範囲内において種々の変形が可能である。
【産業上の利用可能性】
【００９０】
本発明のガラスシステムは、発熱装置として、広く産業に適用される。
【符号の説明】
【００９１】
１０  ガラス体
１２  抵抗体
１４ａ  電極
１４ｂ  電極
１５  額縁（周縁体）
１６  通路壁体
１６ａ，１６ｂ  櫛型通路壁体
１７  絶縁層
１８  放熱部材
２０  処理装置
３０  温度測定部
３２  電流測定部
４０  電源部
４２  ソリッドステート・リレー
４４  ＡＣ／ＤＣコンバータ
４６  ＤＣ／ＤＣコンバータ
５０  外部端子接続部
５２  温度設定スイッチ
５４  温度表示ランプ
６０  記憶部
６２  タッチパネルディスプレイ
６４  コンピュータ
６６  送受信部
７０  ターミナル
８０  水又はミスト導入口
８２  過熱水蒸気排出口
９０  チャンバ
９２  排気口
１００  ガラスシステム
２００  加熱装置
３００  加熱器具
Ｓ１  通路（加熱空間）
【図１】
0005807262.tif 000002
【図２】
0005807262.tif 000003
【図３】
0005807262.tif 000004
【図４】
0005807262.tif 000005
【図５】
0005807262.tif 000006
【図６】
0005807262.tif 000007
【図７】
0005807262.tif 000008
【図８】
0005807262.tif 000009
【図９】
0005807262.tif 000010
【図１０】
0005807262.tif 000011
【図１１】
0005807262.tif 000012
【図１２】
0005807262.tif 000013
【図１３】
0005807262.tif 000014
【図１４】
0005807262.tif 000015